(57)【要約】      （修正有）【課題】燃焼エネルギーの無駄な使用を無くし、かつ給湯使用時に最初に温度の低い水が出ることを無くす給湯システムを提供する。【解決手段】給湯システムＡ１は、気−液型熱交換器１１を有する給湯器１０と、水栓ユニット３０と、制御部４０を備える。水栓ユニット３０は、三方弁３１と給湯温度センサー３５と蛇口３６と蛇口開センサー３７を備えており、三方弁の入力ポート３２は気−液型熱交換器１１の下流側配管１４に、第１出力ポート３３は給湯循環用ポンプ２１と逆止弁２２を介して気−液型熱交換器１１の上流側配管１３に、第２出力ポート３４は蛇口３６側に、それぞれ接続している。給湯温度センサー３５は入力ポート３２側に取り付けてある。制御部４０は、給湯温度センサー３５の温度ｔが設定温度Ｔより低いとき、給湯循環用ポンプ２１を駆動し、三方弁３１を入力ポート３２と第１出力ポート３３が接続するように切り替え操作を行う。【選択図】図１
2011075224.tif 000002
【特許請求の範囲】
【請求項１】
水を加熱するための気−液型熱交換器と前記気−液型熱交換器に高温ガスを供与するバーナーとを備える給湯器と、前記気−液型熱交換器の下流側に接続する水栓ユニットと、制御部を備える給湯システムであって、
前記水栓ユニットは、１入力ポート２出力ポート型の三方弁と給湯温度センサーと蛇口と蛇口開センサーを備えており、前記三方弁の入力ポートは前記気−液型熱交換器の下流側に、第１出力ポートは給湯循環用ポンプと逆止弁を介して前記気−液型熱交換器の上流側に、第２出力ポートは蛇口側に、それぞれ接続しており、前記給湯温度センサーは入力ポートの入り口側に取り付けてあり、
前記制御部は、前記蛇口開センサーからの開信号を受けたときに、前記給湯温度センサーの測定温度の検知を開始し、検知温度ｔが設定温度Ｔより低いときには前記給湯循環用ポンプを駆動するとともに前記三方弁を入力ポートと第１出力ポートが接続するように切り替え操作を行い、検出温度ｔが設定温度Ｔと等しいかそれより高くなったときには前記給湯循環用ポンプの駆動を停止するとともに前記三方弁を入力ポートと第２出力ポートが接続するように切り替え操作する、ことを特徴とする給湯システム。
【請求項２】
請求項１に記載の給湯システムであって、前記給湯循環用ポンプと逆止弁は前記給湯器内に備えられていることを特徴とする給湯システム。
【請求項３】
請求項１に記載の給湯システムであって、前記給湯循環用ポンプと逆止弁は前記水栓ユニット内に備えられていることを特徴とする給湯システム。
【請求項４】
請求項１に記載の給湯システムであって、前記給湯システムは、さらに、前記気−液型熱交換器の出力側に接続する風呂浴槽と、前記風呂浴槽内の温湯と前記気−液型熱交換器の出力側であって前記風呂浴槽への接続箇所でない箇所で分流する温湯との間で熱交換を行う追い焚き用の液−液型熱交換器とを備え、前記液−液型熱交換器で熱交換した後の前記分流した温湯は、前記給湯循環用ポンプと逆止弁を介して前記気−液型熱交換器の上流側に戻されることを特徴とする給湯システム。
【発明の詳細な説明】
【技術分野】
【０００１】
本発明は、給湯器と、給湯器に接続する水栓ユニットと、制御部とを備える給湯システムに関する。
【背景技術】
【０００２】
都市ガス等を燃料とするバーナーと熱交換器とを備え、熱交換器内でバーナーの燃焼ガスである高温ガスとそこに供給される水との間で熱交換を行って温湯を得るようにした給湯器と、その給湯器で作られた温湯を温湯配管を通して外部に取り出すようにした給湯栓と、前記給湯器のバーナーの燃焼制御や温湯の温度設定などを行うための制御部とから構成される給湯システムは、従来から知られている。前記給湯システムには、給湯栓からの温湯の供給に加えて、風呂浴槽にも給湯できるようにしたもの、さらには風呂浴槽内の温湯を追い焚きできるようにしたものも知られている。
【０００３】
通常の給湯システムの場合、給湯器内の熱交換器の位置と蛇口のような給湯栓の位置との間にはある程度の距離があることと、給湯開始時には給湯器も給湯配管も常温であることから、蛇口を開けてから適温の温湯が蛇口から出てくるまでに多少の時間が必要となっている。また、使用者にとって、適温になるまでに蛇口から排出される常温湯はほとんど使用に共さないものであり、適温になるまでの出水は無駄に排水されているといえる。このことは、給湯システム全体としての給湯効率を低下させているともいえ、解決すべき課題となっている。上記のことは、ベランダに給湯器を設置しているようなシステム環境において、特に大きな課題となる。
【０００４】
この課題を解決するための１つの提案として、特許文献１には、図６に示すような瞬間湯沸器１００が記載されている。この瞬間湯沸器１００は、水を加熱する熱交換器１０１と、熱交換器１０１を加熱するバーナー１０２と、熱交換器１０１の下流側の水温を検知する温度検知器１０３と、給湯栓１０４と、制御器１０５を備え、熱交換器１０３の上流側と下流側は、給湯循環用ポンプ１０５と逆止弁１０６を備えた循環１０７で接続されている。そして、制御器１０５は、前記温度検知器１０３の温度信号を検知し、循環路１０７を流れる循環湯の温度が設定温度より高い時は熱交換器１０１を冷却せしめ、低い時は熱交換器１０１をバーナー１０２で加熱せしめる制御をするようになっている。１０８は水流スイッチを示す。
【０００５】
この瞬間湯沸器１００では、給湯栓１０４が閉じられているときでも、給湯循環用ポンプ１０５を稼動させて、給湯器１００内に貯留する温湯（循環路１０７を流れる循環湯）を常に適温（設定温度）に維持できるようになっており、瞬間湯沸器の使用開始時からすぐに適正な湯温の温湯を給湯栓１０４から得ることができるので、使用者にとって使用勝手のよいものとなっている。
【先行技術文献】
【特許文献】
【０００６】
【特許文献１】特開昭６０−１８５０４９号公報
【発明の開示】
【発明が解決しようとする課題】
【０００７】
特許文献１に記載の瞬間湯沸器（給湯器）は、給湯栓を開くとすぐに給湯栓から適温の温湯が出てくるという利点はある。しかし、瞬間湯沸器内に滞留する温湯が低温になると、自動的に設定温度まで加熱されるようになっており、お湯を使うときの時間間隔が長くなると、その間でも、瞬間湯沸器内に滞留する温湯を保温するためにバーナーが燃焼することとなり、その分のエネルギーが無駄になるという課題がある。
【０００８】
また、前記した温湯循環路と給湯栓との間の距離が長い場合には、その間の水は常温であることから、給湯使用時の最初に温度の低い水が出ることは避けられず、そのまま廃棄される可能性がある。そのために、無視できない水の無駄が生じる恐れがある。さらに、この形態の瞬間湯沸器では、給湯循環用ポンプやバーナーが運転の断続を頻繁に繰り返すようになることから、機器の耐久性が低下する。
【０００９】
本発明は、現在の給湯器の持つ上記のような不都合を解消することを課題としており、より具体的には、燃焼エネルギーの無駄な使用を無くしながら、給湯使用時の最初に温度の低い水が出ることによる不快感をなくすことができ、それにより、結果として捨て水の無駄も同時に解消することのできる給湯システムを開示することを第１の課題とする。また、給湯循環用ポンプやバーナーを含む熱交換器等の耐久性が担保される給湯システムを開示することを第２の課題とする。
【課題を解決するための手段】
【００１０】
本発明による給湯システムは、水を加熱するための気−液型熱交換器と前記気−液型熱交換器に高温ガスを供与するバーナーとを備える給湯器と、前記気−液型熱交換器の下流側に接続する水栓ユニットと、制御部を備える給湯システムであって、前記水栓ユニットは、１入力ポート２出力ポート型の三方弁と給湯温度センサーと蛇口と蛇口開センサーを備えており、前記三方弁の入力ポートは前記気−液型熱交換器の下流側に、第１出力ポートは給湯循環用ポンプと逆止弁を介して前記気−液型熱交換器の上流側に、第２出力ポートは蛇口側に、それぞれ接続しており、前記給湯温度センサーは入力ポートの入り口側に取り付けてあり、前記制御部は、前記蛇口開センサーからの開信号を受けたときに、前記給湯温度センサーの測定温度の検知を開始し、検知温度ｔが設定温度Ｔより低いときには前記給湯循環用ポンプを駆動するとともに前記三方弁を入力ポートと第１出力ポートが接続するように切り替え操作を行い、検出温度ｔが設定温度Ｔと等しいかそれより高くなったときには前記給湯循環用ポンプの駆動を停止するとともに前記三方弁を入力ポートと第２出力ポートが接続するように切り替え操作する、ことを特徴とする。
【００１１】
上記の給湯システムでは、蛇口を備える水栓ユニット側に給湯温度センサーが配置されており、制御部は、開栓時に給湯温度センサーが測定する温度が設定温度よりも低いときに、水栓ユニット内の三方弁を切り替えて、給湯温湯を給湯器との間で循環させ、設定温度まで昇温させる。そして、給湯温湯が設定温度まで昇温したときに、制御部は、再度三方弁を切り替えて、温湯を蛇口側に導き、出湯させる。
【００１２】
そのために、本発明による給湯システムでは、開栓時に設定温度よりも低い温湯が蛇口から排出されるのを回避することができ、かつ、水の無駄もなく、使用者に不愉快な思いをさせることもない。さらに、特許文献１に記載した形態の瞬間湯沸器と比較して、開栓した直後の短い時間だけ、給湯器と水栓ユニットとの間での給湯温湯の循環が行われるので、給湯循環用ポンプやバーナーを含む熱交換器等の耐久性も担保されるとともに、燃焼エネルギーの無駄も排除できる。また、給湯循環用ポンプの運転時間も短いため、節電効果も達成できる。
【００１３】
本発明による給湯システムにおいて、前記給湯循環用ポンプと逆止弁は前記給湯器内に備えられていてもよく、前記水栓ユニット内に備えられていてもよい。給湯器内に備える場合には、水栓ユニットを小型化できる利点があり、水栓ユニット内に備える場合には、従来使用されている給湯器をそのまま用いて、本発明による給湯システムを構築できる利点がある。
【００１４】
本発明による給湯システムの他の態様では、前記給湯システムは、さらに、前記気−液型熱交換器の出力側に接続する風呂浴槽と、前記風呂浴槽内の温湯と前記気−液型熱交換器の出力側であって前記風呂浴槽への接続箇所でない箇所で分流する温湯との間で熱交換を行う追い焚き用の液−液型熱交換器とを備える。そして、前記液−液型熱交換器で熱交換した後の前記分流した温湯は、前記給湯循環用ポンプと逆止弁を介して前記気−液型熱交換器の上流側に戻されるようにされる。
【００１５】
この態様の給湯システムでは、風呂浴槽への給湯機能に加えて、前記給湯循環用ポンプを利用して、風呂浴槽内の温湯に対する追い焚き機能も追加される。
【発明の効果】
【００１６】
上記のように、本発明による給湯システムでは、（ａ）給湯使用時の最初に温度の低い水が出ることによる不快感をなくす、（ｂ）配管内の温められる前の水を出さないことにより、捨て水防止効果を達成できる、（ｃ）給湯使用時のみに給湯循環用ポンプで温湯を循環させるため、給湯循環用ポンプや熱交換器等の耐久性が担保されるとともに、給湯循環用ポンプの運転時間が短いために節電効果が達成できる、等の固有の作用効果を奏することができる。
【図面の簡単な説明】
【００１７】
【図１】本発明による給湯システムの第１の実施の形態の構造を模式的に示す図。
【図２】図１に示す給湯システムの運転操作のフローチャートを示す図。
【図３】本発明による給湯システムの第２の実施の形態の構造を模式的に示す図。
【図４】本発明による給湯システムの第３の実施の形態の構造を模式的に示す図。
【図５】図４に示す給湯システムでの追い焚き運転時でのフローチャートを示す図。
【図６】従来の瞬間湯沸器の一例を説明する図。
【発明を実施するための形態】
【００１８】
以下、図面を参照して、本発明による給湯システムをいくつかの実施の形態に基づき説明する。
［第１の実施の形態］
図１は、本発明による給湯システムの第１の実施の形態の構造を模式的に示すである。この給湯システムＡ１は、基本的に、給湯器１０と水栓ユニット３０と制御部４０とを備える。なお、通常、制御部４０は、図１に示すように、給湯器１０内にその構成の一部として備えられる。前記給湯器１０は、気−液型熱交換器１１と、前記気−液型熱交換器１１に高温燃焼ガスを供与するバーナー１２と有し、水道配管からの給水は、上流側管路１３を通って気−液型熱交換器１１に至り、そこでバーナー１２の燃焼ガスと熱交換して加熱されて温湯となり、下流側配管１４を通って、前記水栓ユニット３０側に流れる。
【００１９】
上流側管路１３には水量センサー１５が設けてあり、水量センサー１５からの信号は制御部４０に送られ、制御部４０はその信号に基づいてバーナー１２の燃焼制御を行う。上流側管路１３と下流側配管１４は、流量調整弁１６を備えたバイパス管路１７で接続されており、また、下流側配管１４における前記バイパス管路１７との接続部より下流側には、出湯温度センサー１８と流量調整弁１９が設けられている。出湯温度センサー１８からの信号は制御部４０に送られ、制御部４０はその信号に基づいて、流量調整弁１６、１９の開度を適宜制御して、給水量が変動した場合にも、所定温度の温湯が水栓ユニット３０側に流れるよう制御する。なお、給湯器１０における上記した構成は、通常の給湯器と同じである。
【００２０】
水栓ユニット３０は、三方弁３１と給湯温度センサー３５と蛇口３６と蛇口開センサー３７を備える。三方弁３１は、１つの入力ポート３２と第１と第２の２つの出力ポート３３，３４を備える形態である。また、蛇口開センサー３７は使用者が蛇口３６を開けたかどうかを検知するものであり、使用者が蛇口３６を開けたかどうかは、使用者が直接開弁する操作と、赤外線等を遮断することで間接的に開弁する操作の双方が含まれる。
【００２１】
三方弁３１の前記入力ポート３２には、前記気−液型熱交換器１１の下流側配管１４が接続している。そして、下流側配管１４内を流れる温湯が入力ポート３２に流入する直前の温湯温度を測定できるように、前記給湯温度センサー３５が配置されている。また、前記第１出力ポート３３は、循環用配管２０を介して、前記気−液型熱交換器１１の上流側配管１３と、水量センサー１５の上流位置において接続している。そして、前記循環用配管２０が給湯器１０内を通過している部分には、給湯循環用ポンプ２１と逆止弁２２とがこの順で取り付けられている。前記第２出力ポート３４は蛇口３６に接続している。以下の説明では、第１出力ポート３３を循環側ポート３３、また、第２出力ポート３４を出湯側ポート３４ということとする。
【００２２】
以下、上記の給湯システムＡ１の運転操作を図２のフローチャートも参照して説明する。なお、給湯システムＡ１において、蛇口３６が閉じられているときには、図１に示すように、出湯側ポート３４は閉じられ、入力ポート３２と循環側ポート３３とが連通した状態にある。その状態では、前記上流側管路１３、下流側配管１４および循環用配管２０には、前回使用したときの水または温湯で満たされている。
【００２３】
使用者が蛇口３６を開くと、その開弁操作は蛇口開センサー３７によって検知され、開信号が制御部４０に送られる（Ｓ００）。制御部４０は、前記開信号を受けると、前記給湯温度センサー３５の測定温度の検知を開始し、検知温度ｔが予め設定した設定温度Ｔ以上に達しているかどうかを判断する（Ｓ０１）。なお、設定温度Ｔは、予め設定してある蛇口３６から出てくる出湯温度Ｔａと同じ温度であってもよく、前記出湯温度Ｔａよりもある程度低い温度であってもよい。ただし、設定温度Ｔは、使用者が不快を感じない程度の温湯が得られる温度であることは必要である。
【００２４】
制御部４０は、前記検知温度ｔが設定温度Ｔよりも低い場合には、三方弁３１の出湯側ポート３４を閉じ、入力ポート３２と循環側ポート３３とを連通した状態とし（通常の場合は、三方弁３１の初期設定状態が維持された状態）（Ｓ０２）、前記した循環用配管２０に取り付けた給湯循環用ポンプ２１を駆動（ＯＮ）する（Ｓ０３）。
【００２５】
給湯循環用ポンプ２１の駆動により、循環用配管２０、上流側管路１３および下流側配管１４内の水または温湯は、図１で矢印の方向に流れる循環流となる。給湯循環用ポンプ２１の容量によっては、循環流に水道配管からの給水が入り込む場合もある。その流れは水量センサー１５によって検出され、検出信号が制御部４０に送られる。制御部４０はその信号を受け、バーナー１２を着火する（Ｓ０４）。バーナー１２の着火により、前記循環流は次第に昇温して、前記設定温度Ｔに達する。
【００２６】
前記給湯温度センサー３５により、循環流が設定温度Ｔに達したことが検知されると（Ｓ０１）、その信号が制御部４０に送られる。それに応じ、制御部４０は、三方弁３１の切り替え操作を行い、循環側ポート３３を閉じ、入力ポート３２と出湯側ポート３４を連通した状態とし（Ｓ０５）、給湯循環用ポンプ２１の駆動を停止（ＯＦＦ）する（Ｓ０６）。三方弁３１の前記切り替え操作により、設定温度Ｔに昇温した温湯が蛇口３６から出てくるようになり、以下、従来の給湯器と同様にして、蛇口３６からの給湯が継続する。
【００２７】
使用者により蛇口３６が閉じられると（Ｓ０７）、その閉弁操作は蛇口開センサー３７によって検知され、蛇口閉信号が制御部４０に送られる。制御部４０は、閉信号を受けると、三方弁３１を、図１に示すように、出湯側ポート３４を閉じ、入力ポート３２と循環側ポート３３とを連通した状態に切り替える（Ｓ０８）。それにより、各管路を流れる水量はなくなるので、水量センサー１５からの信号を受けて、制御部４０はバーナー１２の燃焼を停止（ＯＦＦ）する（Ｓ０９）。
【００２８】
上記のように、本発明による給湯システムでは、蛇口３６を開いたときに、設定温度Ｔよりも低い温湯が蛇口３６から排出されるのを、水の無駄のない状態で、効果的に回避することができる。また、蛇口３６を閉じたときには、直ちにバーナー１２は燃焼を停止し、次に蛇口３６が開かれるまで燃焼することはないので、燃焼エネルギーの無駄も排除することができる。さらに、蛇口３６を開いた後の短い時間だけ、給湯器１０と水栓ユニット３０（の三方弁３１）との間での給湯温湯の継続した循環が行われ、またバーナー１２の継続した燃焼が行われるだけであり、給湯循環用ポンプ２１やバーナー１２を含む熱交換器１１等の耐久性も担保される。
【００２９】
［第２の実施の形態］
図３は、本発明による給湯システムの第２の実施の形態の構造を模式的に示している。この形態の給湯システムＡ２は、前記した給湯循環用ポンプ２１と逆止弁２２とが、図１に示すように給湯器１０内にではなく、水栓ユニット３０内に設けられている点、前記循環用配管２０が給湯器１０の外で前記上流側管路１３に接続している点、および、水栓ユニット３０が第２の制御部４１を備える点で、第１の実施の形態Ａ１と相違している。他の構成は、第１の実施の形態Ａ１と同じであり、同じ符号を付して説明は省略する。
【００３０】
図３に示す給湯システムＡ２では、蛇口開センサー３７からの開信号は前記第２の制御部４１に送られる。そして、開信号を受けると、第２の制御部４１が給湯温度センサー３５の測定温度の検知を開始し、また、それに応じて、第１の実施の形態Ａ１で説明したと同様に、三方弁３１の切り替え操作と給湯循環用ポンプ２１の駆動操作などを行う。
【００３１】
この形態の給湯システムＡ２は、図３からわかるように、従来用いられている給湯器をそのまま用いて、本発明による給湯システムを構築することができる利点がある。もちろん、給湯システムＡ１の操作部４０をそのまま用いることもでき、その場合には、第２の制御部４１を必要としない。しかし、この場合には、従来用いられている給湯器に取り付けられている制御部を一部改変することが必要となる。
【００３２】
［第３の実施の形態］
図４は、本発明による給湯システムの第３の実施の形態の構造を模式的に示しており、図５は、その給湯システムを追い焚き運転するときのフローチャートを示している。この給湯システムＡ３は、風呂浴槽５０と、該風呂浴槽５０内の温湯を追い焚きする機能をさらに備えている点で、図１に示した給湯システムＡ１と相違する。以下では、給湯システムＡ１と同じ機能を奏する部材には同じ符号を付して、説明は省略し、新たに追加した風呂浴槽５０とその追い焚きする機能中心に説明する。
【００３３】
給湯システムＡ３では、風呂浴槽５０が設けられ、該風呂浴槽５０には、下流側配管１４の流量調整弁１９より下流で分岐している風呂給湯用管路５１から温湯が送られる。風呂給湯用管路５１には注湯電磁弁５２および逆止弁５３が設けてあり、注湯電磁弁５２は制御部４０により操作される。さらに、給湯システムＡ３は液−液型熱交換器６０を備えており、その受熱側には、風呂浴槽５０内の温湯が循環する。すなわち、前記風呂給湯用管路５１の逆止弁５３の下流位置から風呂湯循環路５４が分岐しており、該風呂湯循環路５４は液−液型熱交換器６０内を通って風呂浴槽５０に達している。また、風呂湯循環路５４には、風呂湯循環用ポンプ５５と風呂温度センサー５６が取り付けられている。
【００３４】
液−液型熱交換器６０の放熱側には、気−液型熱交換器１１によって昇温した温水が送られる。すなわち、気−液型熱交換器１１の下流側配管１４から分岐した追い焚き用配管６１が液−液型熱交換器６０内を通った後、前記給湯循環用ポンプ２１の上流側において、前記した循環用配管２０と合流している。また、追い焚き用配管６１には、追い焚き用電磁弁６２が取り付けられており、制御部４０により操作される。
【００３５】
上記の給湯システムＡ３において、蛇口３６を開閉するときに三方弁３１等に生じる作動は、上記した給湯システムＡ１、Ａ２の場合と同じである。風呂浴槽５０に湯を張るときは、図示しない湯貼りスイッチを操作する。それにより、制御部４０は注湯電磁弁５２を開き、温湯が風呂給湯用管路５１を通って風呂浴槽５０内に入り込まれる。
【００３６】
風呂浴槽５０内に貯められた温湯を追い焚きするときの態様を、図５のフローチャートを参照して説明する。使用者は、図示しない風呂追い焚きスイッチをＯＮにする（Ｓ１０）。それを受けて、制御部４０は風呂循環用ポンプ５５を駆動（ＯＮ）する（Ｓ１１）。制御部４０は、風呂温度センサー５６の温度を検出し、検知温度ｔｓが風呂設定温度Ｔｓよりも低いかどうかを判断する（Ｓ１２）。低くない場合は、追いだきが不要であると判断し、風呂循環用ポンプ５５を停止（ＯＦＦ）し（Ｓ１３）、風呂追い炊き運転を終了する（Ｓ１４）。
【００３７】
検知温度ｔｓが風呂設定温度Ｔｓよりも低い場合には、制御部４０は、追い焚き用電磁弁６２を開き（Ｓ１５）、前記した給湯循環用ポンプ２１を駆動（ＯＮ）する（Ｓ１６）。それと同時に、制御部４０は、前記した水量センサー１５が流量を検知したかどうかを判断し（Ｓ１７）、流量を検知した場合には、バーナー１２を着火（ＯＮ）する（Ｓ１８）。そして、風呂温度センサー５６の温度を検出しながら、検知温度ｔｓが風呂設定温度Ｔｓよりも低いかどうかを継続して判断する（Ｓ２０）。
【００３８】
検知温度ｔｓが風呂設定温度Ｔｓに達した段階で、制御部４０は、追いだきが不要になったと判断し、バーナー１２の燃焼を停止（ＯＦＦ）する（Ｓ２１）。引き続き、給湯循環用ポンプ２１の運転を停止（ＯＦＦ）し（Ｓ２２）、追い焚き用電磁弁６２を閉じ（Ｓ２３）、さらに、前記したＳ１３およびＳ１４の処理を行う。
【００３９】
なお、Ｓ１７で、水量センサー１５が流量を検知しなかった場合には、制御部４０は、前記したＳ２２，Ｓ２３，Ｓ１３，Ｓ１４の処理を順次行う。
【００４０】
上記のように、給湯システムＡ３においては、前記した給湯循環用ポンプ２１に加えて、風呂循環用ポンプ５５、風呂温度センサー５６、液−液型熱交換器６０、追い焚き用電磁弁６２、配管等を追加することで、追い焚き用の燃焼部を別途追加することなく、風呂追い焚き機能を付加することが可能となる。
【符号の説明】
【００４１】
Ａ１，Ａ２，Ａ３…本発明による給湯システム、
１０…給湯器、
１１…気−液型熱交換器、
１２…バーナー、
１３…上流側管路、
１４…下流側配管、
１５…水量センサー、
１６、１９…流量調整弁、
１７…バイパス管路、
１８…出湯温度センサー、
２０…循環用配管、
２１…給湯循環用ポンプ、
２２…逆止弁、
３０…水栓ユニット、
３１…三方弁、
３２…入力ポート、
３３…第１出力ポート（循環側ポート）、
３４…第２出力ポート（出湯側ポート）、
３５…給湯温度センサー、
３６…蛇口、
３７…蛇口開センサー、
４０…制御部、
４１…第２の制御部、
５０…風呂浴槽、
５１…風呂給湯用管路、
５２…注湯電磁弁、
５３…逆止弁、
５４…風呂湯循環路、
５５…風呂湯循環用ポンプ、
５６…風呂温度センサー、
６０…液−液型熱交換器、
６１…追い焚き用配管、
６２…追い焚き用電磁弁。
【図１】
2011075224.tif 000003
【図２】
2011075224.tif 000004
【図３】
2011075224.tif 000005
【図４】
2011075224.tif 000006
【図５】
2011075224.tif 000007
【図６】
2011075224.tif 000008